Podtech/llm-jp-corpus-v4-ja_patent huggingface dataset:
(57)【要約】      （修正有）【課題】靴下や手袋などを容易に装着できる介護用品を提供する。【解決手段】支点６を介して連結した二本のアーム４、５の開閉によって靴下および手袋などの口前を開放できる構造を有し、容易に靴下などの履き換え作業ができる。【選択図】図１
0003220769.tif 000002
【実用新案登録請求の範囲】
【請求項１】
支点を介して連結した二本のアームの開閉によって靴下および手袋などの口前を開放できる構造を有し容易に靴下などの履き換え作業ができる介護用品。
【考案の詳細な説明】
【技術分野】
【０００１】  本考案は、病人や高齢者が身の回りのことが不自由になった場合、靴下の装着もままならず、これらに介助を要する場合に用いる介護用品に関するものである。
【背景技術】
【０００２】  従来から介護にかかる問題は多く、本考案による案件は身体に異常があって容易に靴下などが履けない者の介助に当たって靴下や手袋を履かす作業に簡素化と介護作業の迅速を求め、全体的に介護作業の合理化を図るものである。
【考案の概要】
【考案が解決しようとする課題】
【０００３】  通常、健常者が身支度することには問題が無いが、体が不自由な身障者はもとより身体に異常が生じた高齢者ともなると、何事にも介助を必要とすることになる。従って、靴下の履きかえや下着の交換にも大変な不自由が生じ、第三者が介助する場合が多くなる。【０００４】  このような場合、容易に靴下や手袋など（以下、靴下など）の装着ができるように、あらかじめ開口した状態で手先や足先（以下、足先など）をあてがってスムーズに患者の手助けができる方法を考える必要がある。【０００５】  従って、本考案が解決しようとする課題は、身体の不自由な人（以下、非健常者）の生活上または介護する者の利便性を考えて、靴下などを容易に装着できる器具を考案することとする。【０００６】  いわゆる、簡単な用具で靴下などの口前を開口し、適切な方法で非健常者と介護する者の手助けが出来る簡単ながら軽便な器具の考案が解決しようとする課題とする。
【課題を解決するための手段】
【０００７】  本考案は、課題を解決するため靴下などを容易に装着できる介護用品（以下、介護用品）を提供する。【０００８】  すなはち、本考案の介護用品は、あらかじめ靴下などの口前にアームを挿入して保持し、アームに連なる握り部分を握ることによって、支点を介したアームで靴下などを大きく開口し当該患者の手先や足先（以下、足先など）が安易に靴下などに挿入できる器具を考案する【０００９】  前述の如く、本考案の介護用品のアームによって靴下などの口前を開口し、保持した状態において、足先などを深く挿入した段階で、アームを抜いて介護用品を除去する作業で、おおむね靴下などを装着した状態となる。【００１０】  本考案の介護用品を用いて靴下などをおおむね装着できた状態で、これらの口前を引っ張って正しく装着すれば面倒な靴下などの履き換え作業がスムーズに完了し、課題を解決するための手段となる。
【考案の効果】
【００１１】  本考案の介護用品を使用することによって、非健常者などが履いている靴下の交換などの介助作業に利便性が生まれ、介護の作業が簡便になる効果がある。【００１２】  本考案の介護用品の構造は極めて簡単であり、靴下などの履き換え作業において故障が発生する原因が存在せず何時でも患者の介助が出来る効果がある。【００１３】  介護の作業において、靴下などの履き換え作業は意外と面倒で、かねてより手間がかかる介助作業のネックとなっていたが、極めて軽微な作業となる効果を生じる。【００１４】  従って、介護作業を合理化する効果が生じるが、多くの非健常者を抱える施設においては、頻繁な介護作業にあって迅速さが増して作業の軽便化が出来ることになる。
【考案を実施するための最良の状態】
【００１５】  本考案は、日頃の煩雑な介護作業において、非健常者の履物や下着の交換作業は手間がかかる作業であり、とくに靴下などは足などに履かすのに縺れてスムーズに作業が出来ないものである
【００１６】  従って、本考案の靴下などを容易に装着できる介護用品を用いることで、洗濯などで絡んでいる状態の靴下でもスムーズに開口できて手間が掛からず、手足の不自由な非健常者に着かえさせる作業が出来ることになる。
【００１７】  しかも、本考案の介護用品は、常に介護者が携帯することができるし、非健常者の近くに備えることもできるので利便性を有する。
【００１８】  その上、構造が至極簡単であり製造するにも簡単であるため汎用性があり、材質はプラスチックを用いることも、金属を使って製作することもできる。
【実施例】
【００１９】  以下、本考案による実施例を図面に基づいて説明する。【００２０】  アーム４およびアーム５は、図１のような形状であり、支点６を介して連結されている。【００２１】  使用に当たっては、図１の如くアーム４とアーム５の先端はスプリング７によって合掌されているので、この部分に靴下などの口前を被せるようにしてアーム４とアーム５を同時に靴下などに挿入する。【００２２】  靴下などが図１の状態のアーム４とアーム５を靴下などに挿入した時点で、スプリング７に反発して握り柄２と握り柄３を握り合わせ支点６で連結したアーム４とアーム５の先端が図３の如く開くことになる。従って、アームに被さった靴下などの口前が十分に開口する。【００２３】  図３の如くアーム４とアーム５が開き、被せてある靴下などが大きく開口した状態で、この空間に足先などをスムーズに奥深く挿入できる。【００２４】  図３の如くアーム４とアーム５が開いて、アームに被せた靴下などが開口し、非健常者の足などに履かせることが出来た状態で、握っていた握り柄２と３を開放し、この介護用品１を引き抜くと、アーム４とアーム５を靴下などから抜き出して作業が完了する。
【産業上の利用可能性】
【００２５】  本考案の介護用品は、入念な実験を重ねて遜色のない結果が得られた考案であり、介護における作業では、比較的に面倒な靴下などの履き換え作業に役立つものであって、介護用品としては必需品となる要素を有している。【００２６】  従って、産業上の利用可能性は高く、少なくとも他人の靴下の交換などは不潔な作業に属し、介護する者が嫌がる作業であって、この考案による介護用品は軽便ながら作業効率の向上のために望ましい介護用品となる。【００２７】  しかも、構造が簡単であり、製造上でも難点が無く、実用性に富んでいる。【００２８】  かくなる特徴から、普及する用品として優れた条件を有しており、普及する用途は十分にある。
【図面の簡単な説明】
【００２９】
【図１】本考案の介護用品を表面から見た見取図である。
【図２】本考案の介護用品の側面から見た見取図である。
【図３】本考案の介護用品の握り柄を握り、アームを開けた状態の見取図である。
【符号の説明】
【００３０】    １．考案による介護用品。
２．握り柄。
３．握り柄。
４．靴下などを開口させるアーム。
５．靴下などを開口させるアーム。
６．アームの支点。
７．スプリング。
←．靴下などにアームを挿入する方向。
→．開口した靴下などからアームを引き抜く方向。
【図１】
0003220769.tif 000003
【図２】
0003220769.tif 000004
【図３】
0003220769.tif 000005
(57)【要約】      （修正有）【課題】街の柱ポール等の緑化や工事現場での有効利用ができるプランター割りバケツを提供する。【解決手段】プランター割りバケツ１０は円柱型状の内輪１を持ち、１２時方向に支点となるチョウツガイ部２を上部から下部まで持たせ、６時方向から左右に開閉する事が出来、３時９時方向底部に水抜きを有し、閉時にはバケツ外輪上部外周下部外周に引掛け４を持たせゴムバンド等にて内輪１をはさみ込み固定させる。【選択図】図１
0003220500.tif 000002
【実用新案登録請求の範囲】
【請求項１】
丸柱角柱等に取付ける事の出来るプランターで、バケツを半割り型状で中心に円柱形、四角柱形を持たせた割バケツで有る。
【請求項２】
プランター半割りバケツ１２時方向に支点を有しチョウツガイ状で、６時方向から開く事が出来る  閉状態時にゴムバンド等にて固定出来る割りバケツで有る。外周にゴム止めを有している
【請求項３】
プランター半割りバケツ３時９時方向底部に水抜きを有している割りバケツで有る
【考案の詳細な説明】
【技術分野】
【０００１】本考案は柱配管等に取付けるプランターバケツに関する。
【背景技術】
【０００２】従来柱に取付けるプランターバケツ工事用配管等に直接取付ける物が無かった。
【考案の開示】
【考案が解決しようとする課題】
【０００３】街の柱、ポール等の緑化、工事現場での有効利用
【課題を解決するための手段】
【０００４】従来街緑化地域でも柱ポール等の三次空間が有効に緑化利用されていなかった。又工事現場においても既設パイプ等貫通部補修時に必要であった。
【考案の効果】
【０００５】街緑化地域の緑化進行の促進  既設建物等の貫通工事での利用
【考案を実施するための最良の形態】
【０００６】本考案はプランター割りバケツで１２時方向に支点を有しチョウツガイ状で内輪を持ち６時方向から開閉する事が出来  底部３時方向９時方向に水抜きを有し閉状態時にゴムバンド等にて固定する事が出来る割りバケツである。
【図面の簡単な説明】
【０００７】
【図１】本考案の概略図閉時
【図２】本考案の概略図開時
【図３】本考案の底面図
【符号の説明】
【０００８】１      円柱型内輪
２      チョウツガイ部
３      水抜きパイプ
４      引掛け部
１０    プランター割りバケツ
【図１】
0003220500.tif 000003
【図２】
0003220500.tif 000004
【図３】
0003220500.tif 000005
【手続補正書】
【提出日】平成30年12月18日(2018.12.18)
【手続補正１】
【補正対象書類名】実用新案登録請求の範囲
【補正対象項目名】全文
【補正方法】変更
【補正の内容】
【実用新案登録請求の範囲】
【請求項１】
丸柱又は角柱に取付ける事の出来るプランターであって、半割り型状で、中心の形状が円柱形又は四角柱形である、プランター割りバケツ。
【請求項２】
１２時方向に支点を有し、前記支点には、６時方向から開く事が出来るようにチョウツガイが設けられていて、閉状態時に固定することが出来るように、ゴムバンドの為のゴム止めを外周に有する、請求項１に記載のプランター割りバケツ。
【請求項３】
３時及び９時方向の底部に水抜きを有する、請求項１又は２に記載のプランター割りバケツ。
(57)【要約】      （修正有）【課題】コンクリート打設と、その後の作業工程を一気に短縮し、無駄がなく、狭い場所や、やり難い箇所もコテ作業を容易に施し、範囲時間内でコンクリートの表層を平滑にするコンクリート敷き均しプレート盤を提供する。【解決手段】モーター６から回転する主軸５で円板状のプレート盤１を回転させる。プレート盤１の断面の裏面に湾曲した膨らみ箇所である凸状段丘２を構成する事により、コテの左右スライドした仕上がりが形成でき、コンクリートの表面の床を滑らかにし、仕事を向上させる。連結部品は、連結軸ビス３、首折ソケット４で構成される。【選択図】図１
0003220498.tif 000002
【実用新案登録請求の範囲】
【請求項１】
円盤状のプレート盤の裏面平板に湾曲状の凸状段丘を形成し、コンクリート表層上で回転させ、コンクリート表層を均等にし、滑らかなテリに仕上げることを特徴とするコンクリート敷き均しプレート盤。
【請求項２】
前記プレート盤に回転力又は、軽重振動を与えて、このプレート盤をコンクリート表層上で回転させる為の振動具を備えたことを特徴とする請求項１記載のコンクリート敷き均しプレート盤。
【考案の詳細な説明】
【技術分野】
【０００１】
コンクリート打設後の仕上げに関するものである。                  
【背景技術】
【０００２】
従来は、職人技で器具均一に均しコンクリートの床を美観にする工程が手間を、かけ人力と体力で完成度を必用としていた.
【先行技術文献】
【特許文献】
【０００３】
【特許文献１】特開昭６２−２４８７５３号公報
【特許文献２】特開２０１６−００３５５７号公報
【考案の開示】
【考案が解決しようとする課題】
【０００４】
器具を用途に使い分け仕上げの工程に、いくつかの段階により一定の時間をかけコンクリートの硬化を避けつつコテでの重労働で、［特許文献１，２参照］
短時間と仕上げに時間と手間を掛け能率向上を妨げ、時間の無駄とロス省いてスムーズで手軽に作業効率を大幅に向上させる。    
【考案の概要】
【課題を解決するための手段】
【０００５】
コンクリート打設と、その後の作業工程を一基に短縮無駄がなく狭い場所、やり難い箇所もコテ作業を容易に施し範囲内の時間内でコンクリートの表層を平滑にし、回転工具を使う事により労働力範囲を広く活用し解放図る。
【考案の効果】
【０００６】
コンクリートの面接部分を凝固や亀裂を防ぎ表層を綺麗に仕上げ密度の水分部分をトロ部分が交互に混じり合い効率化をスピーディーにより表面とコンクリートの内部と外部分と、おに、及ぼす影響は、関連してコテと同じ左右スライドしながらコンクリートの床を押さえるのと、同じ効果を得られ凸状は中心方向に浴って回転運動と左右反転させる事により湾曲状がテリを内外排出調整できる。手間と時間を省き時間のロスを短縮し合理性を追求した。
【考案を実施するための形態】
【０００７】
円盤状のプレート盤１，２に振動と回転運動によりコンクリートの表面を凝固する前に速やかな仕上げ状況に入れる状態を創りコンクリートの床表面トロ状が上層膜で研磨しながら表層にして形成する。
【実施例】
【０００８】
図１は、全体図と動力との連結部品で、モーター６から回転する主軸５で１を回転させる。プレート盤１の断面図の裏面に湾曲した膨らみ箇所である凸状２を構成する事によりコテの左右スライドした仕上がりが形成できコンクリートの表面の床を滑らかにし構成する事により仕事を向上させる。連結部品は、ソケット３，４ジョイント箇所により成り立ってコンクリート仕上げ盤である。
図２プレート盤１の表層で湾曲２した緩やかな構造で左右どちらでも回転方向により表面のトロ部分を排除又は、逆回転方向にする事により平滑研磨する事により微調整ができる。
部分拡大図は、プレート盤裏面層１切断面図均等に3等分した区分箇所に凸状の突起２を形成されたプレート盤が回転運動によりコテと同じ効果により、コンクリートの表層を凝固する事前に一層目均し二層（２回目）と続きコンクリートの床を滑らかにする。凸状突起部分
【図面の簡単な説明】
【０００９】
【図１】全体図
【図２】円盤の表面図及びプレート盤切断図
【符号の説明】
【００１０】
１円盤プレート    
２凸状の突起段丘    
３連結軸ビス
４首折ソケット
５主軸 ＳＤＫジャク
６モーター
【図１】
0003220498.tif 000003
【図２】
0003220498.tif 000004
【手続補正書】
【提出日】平成30年9月5日(2018.9.5)
【手続補正１】
【補正対象書類名】実用新案登録請求の範囲
【補正対象項目名】全文
【補正方法】変更
【補正の内容】
【実用新案登録請求の範囲】
【請求項１】
円盤状のプレート盤の裏面平板に湾曲状の凸状段丘を形成しプレート中心軸から外周に向かって放射状に形成しコンクリート表層上で回転させ、表層を均等に、滑らかなテリに仕上げることを特徴とするコンクリート敷き均しプレート盤。
【請求項２】
前記プレート盤は、モーター上下運動とプレート盤に首ソケット左右運動を連結部有し、回転させる為の振動具を備えたことを特徴とする請求項１記載のコンクリート敷き均しプレート盤。
【手続補正書】
【提出日】平成30年11月18日(2018.11.18)
【手続補正１】
【補正対象書類名】実用新案登録請求の範囲
【補正対象項目名】全文
【補正方法】変更
【補正の内容】
【実用新案登録請求の範囲】
【請求項１】
円盤状のプレート盤の裏面平板に湾曲状の凸状段丘をプレート中心軸から外周に向かって放射状に形成しコンクリート表層上で回転させ、コンクリート表層を均等にし、滑らかなテリに仕上げることを特徴とするコンクリート敷き均しプレート盤。
(57)【要約】      （修正有）【課題】縦方向に伸縮性を有するデニム生地を使用したジーンズパンツを提供する。【解決手段】横方向に伸縮性を有するデニム生地１に脚部２の型紙を横方向に置き、裁断することで脚部２の腰から裾の縦方向に伸縮自在な脚部２のパーツをデニム生地１から裁断し、その他の各パーツと伸縮性を有する糸で縫製することで、縦方法に伸縮性を有する。【選択図】図１
0003220419.tif 000002
【実用新案登録請求の範囲】
【請求項１】
デニム生地のジーンズパンツであって、腰から裾の縦方向に伸縮自在なデニム生地を使用したことを特徴とするジーンズパンツ。
【請求項２】
デニム生地のジーンズパンツであって、少なくとも膝部外側のデニム生地が上下方向に伸縮自在であることを特徴とする請求項１に記載のジーンズパンツ。
【請求項３】
デニム生地のジーンズパンツであって、片脚を１枚のパーツにしたこと特徴する請求項１又は請求項２に記載のジーンズパンツ。
【請求項４】
デニム生地のジーンズパンツであって、縫製は全て伸縮性自在の糸を使用したことを特徴とする請求項１乃至請求項３の何れかに記載のジーンズパンツ。
【考案の詳細な説明】
【技術分野】
【０００１】  ストレッチ生地のデニムのジーンズパンツに関する考案である。
【背景技術】
【０００２】  デニム生地は元々綿で作られているので伸縮性がない。しかし、最近は横方法に伸縮性を有るデニムパンツが製造されている。しかし、リラックス感を考えると人間の関節運動は縦に伸びる方が理想的である。そこで伸縮性を必要とする箇所に伸縮性の生地を貼り付けることにより問題を解決してきた。
【先行技術文献】
【特許文献】
【０００３】
【特許文献１】特開２００５−２５６２１９号公報
【考案の概要】
【考案が解決しようとする課題】
【０００４】  伸縮性を必要な個所だけに伸縮性を有する生地を貼り付けていると生地の厚みがますとともに、生地全体がゴアゴアして感じになる。更に制作に時間がかかりコストアップになる。
【課題を解決するための手段】
【０００５】  本考案は、デニム生地のジーンズパンツであって、腰から裾の縦方向に伸縮自在なデニム生地を使用したことを特徴とするジーンズパンツである。【０００６】  本考案は、デニム生地のジーンズパンツであって、少なくとも膝部外側のデニム生地が上下方向に伸縮自在であることを特徴とするジーンズパンツである。【０００７】  本考案は、デニム生地のジーンズパンツであって、片脚を１枚のパーツにしたこと特徴するジーンズパンツ【０００８】  本考案は、デニム生地のジーンズパンツであって、縫製は全て伸縮性自在の糸を使用したことを特徴とするジーンズパンツ
【考案の効果】
【０００９】  上述の様に、本考案のデニムパンツは腰から裾の縦方向に伸縮自在なデニム生地を使用したので、運動や作業をするときに脚の前面部分が縦方向に伸縮するので脚が動かしやすくなる。特に運動や作業をするときは膝の部分に伸縮性を有すると動き易くなる。【００１０】  また、本考案のデニムパンツは片脚を一枚のパーツで制作するので、外脇ステッチがなくなり、縫製部が左右２カ所なくなるので作業効率がアップする。更に縫製には全て伸縮性を有する糸を使用するのでデニムパンツ全体としての伸縮性がアップし、運動や作業するときに動き易くなる。
【図面の簡単な説明】
【００１０】
【図１】デニム生地にジーンズパンツの型紙を置いた図である。
【図２】デニム生地の網目の図である。
【図３】デニムパンツの完成図である。
【考案を実施するための形態】
【００１１】  本考案の実施形態について図を参照しながら説明する。図１は幅１５００ｍｍのデニム生地１に１本のデニムパンツを構成するパーツの型紙を置いた図である。２は脚部、３は腰部、４は後ポケット、５、７は股下部、６は前ポケット６である。
【００１２】  デニム生地１は、図２に示すように綿１００％の縦糸ｂと綿８５％〜９５％、ポリウレタン１５％〜５％の横糸ａで編まれている。横糸は伸縮性を有するポリウレタンを含有するので伸縮性がある。
【００１３】  図１に示すように、脚部１の型紙はデニム生地に対して横に描いてある。よって、脚部の腰から裾の縦方向はデニム生地の伸縮自在の横糸の方向になる。更に、脚の前後を１つのパーツで構成しているので、従来のデニムパンツのように前後を２つのパーツにして縫い合わせていない。よって、脚脇ステッチがなく、デニムパンツに出来上がったときに見た目が綺麗になる。
【００１４】  デニム生地１に置かれた型紙に沿って各パーツを裁断して、それぞれのパーツを伸縮自在の糸で縫製してデニムパンツを制作する。ミシンで縫製するときは上糸に伸縮性のあるナイロン１００％の糸、下糸は強度のあるポリエステル１００％の糸を使用する。
【００１５】  縫製し出来上がったデニムパンツを図３に示す。脚脇シームラインがなく見た目にすっきりとしたデニムパンツが完成する。
【符号の説明】
【００１６】１  デニム生地
２  脚部
３  腰部
４  後ポケット
５  股下部
６  前ポケット
７  股下部
ａ  横糸
ｂ  縦糸
【図１】
0003220419.tif 000003
【図２】
0003220419.tif 000004
【図３】
0003220419.tif 000005
(57)【要約】      （修正有）【課題】内容物や目的を過剰に訴求するあまりに不快感を感じることのある汎用的なスプレー缶の外観意匠を自分好みのものに変更できるスプレー缶カバーを提供する。【解決手段】接着剤やのりを使用せずに対象面への吸着を可能とするポリプロピレンを主原料とするフィルム合成紙を使用し、オフセット印刷やインクジェットプリンターで好みの意匠を施してスプレー缶に巻き付け使用する。【選択図】図３
0003220418.tif 000002
【実用新案登録請求の範囲】
【請求項１】
接着剤を使用せずに吸着することが出来るポリプロピレンを主原料とするフィルム合成紙を使用し、市販の各種スプレー缶に巻き付け吸着させることで、スプレー缶の種類や銘柄を隠蔽し自分の好みの外観に変更できることを特徴とする、スプレー缶カバー。
【請求項２】
前記の材料であるポリプロピレンを主原料とするフィルム合成紙に対する印刷は、オフセット印刷、またはインクジェット印刷を用いて絵や文字、写真などを印刷した請求項１に記載のスプレー缶カバー。
【考案の詳細な説明】
【技術分野】
【０００１】  本考案は主として、フイルムシート材料に対して多目的に使用できる利便性の高いノベルティー商品に関するものである。
【背景技術】
【０００２】  従来市販のスプレー缶は、あらかじめその外装に製造者側が選定した絵柄が印刷されていた。
【考案が解決しようとする課題】
【０００３】  従来のスプレー缶は内容物の用途とその外観意匠が深く結びついていた。しかしながらそれらのスプレーの保管場所次第では、それらの外観意匠は環境空間とそぐわないものとなり、その結果購買を躊躇うという機会の損失を招いていた。本考案はインクジェットなどで簡単に自分好みのデザインにスプレー外観を変化させることで、置き場所を気にせずに購入に結び付ける事を課題とする。
【０００４】  のりなどの接着剤を使用せずに対象に吸着する本考案のスプレーカバーは、カバー自体の意匠に飽きてきたらいつでも簡易に、もともとスプレー缶に施されていた意匠へ戻すことが可能である。
【課題を解決するための手段】
【０００５】  予め接着剤、マグネットなどを使用せずに対象面に自己吸着する性質を持つポリプロピレンを主原料とするフィルム合成紙を用いることで、スプレー缶の外観を自由に変えることが出来るシートが作成できる。また、印刷は大型のオフセット印刷機をはじめ、小型のインクジェットプリンターを用いても可能であり簡易に便利にスプレー缶をデコレーションすることが出来る物である。
【考案実施の形態】
【０００６】  図１は本考案のスプレー缶カバー（１）の視図である。図１でスプレー缶カバーにはオフセット印刷またはインクジェットプリンターにより任意の絵柄が印刷されている状態である。
【０００７】  図２は汎用的な殺虫用途のスプレー缶（２）である。この時、スプレー缶にはその内容物の目的に沿った意匠が施されているが、注意喚起や取扱注意を促すあまり過激で不快な意匠になりがちである。
【０００８】  図３は本考案であるスプレー缶カバー（１）をスプレー缶（２）に装着した場合の視図である。この時スプレー缶は使用者の好みの意匠に変化し、かつ印刷により最低限内容物と用途が分かる状態になっている。
【図面の簡単な説明】
【０００９】
【図１】本考案のスプレー缶カバー（１）の視図
【図２】汎用的な殺虫用途のスプレー缶（２）
【図３】本考案のスプレー缶カバー（１）をスプレー缶（２）に装着した場合の視図
【符号の説明】
【００１０】１  スプレー缶カバー
２  汎用的なスプレー缶
【図１】
0003220418.tif 000003
【図２】
0003220418.tif 000004
【図３】
0003220418.tif 000005
(57)【要約】      （修正有）【課題】本考案はサンドペーパーホルダーに設けた溝に、サンドペーパーを挿入し、サンドペーパーの上に重ねた押さえ板を両側の蝶ネジで締め付けて固定し、サンドペーパーの外れ、緩みを無くす。【解決手段】本考案はサンドペーパーの押さえ板６を押さえ板固定用蝶ネジ７で締め付けることにより、工具を使用せずに押さえ板６の取り付け、取外しができるので、サンドペーパー３の交換が容易に行える。また、本体ベース１の斜めの溝にサンドペーパー３の先端４を挿入した後、サンドペーパーを本体ベースの上面左側と右側に折り曲げて、押さえ板６を押さえ板固定用蝶ネジ７で締め付けると、斜めの溝の上側のサンドペーパー３が押さえ板に押さえ付けられて、サンドペーパーの先端４が斜めの溝から外れることがない。これによりサンドペーパーが本体ベース１から外れたり、緩んだりすることがない。【選択図】図１
0003220423.tif 000002
【実用新案登録請求の範囲】
【請求項１】
サンドペーパーホルダーの本体ベース上部に斜めの溝を設け、サンドペーパーの先端を斜めの溝に挿入した後、サンドペーパーを本体ベースの上面左側に折り曲げて、本体ベースの底面を包み込むように引っ張りながら、末端を本体ベースの右側上面に移動し、押さえ板を重ねて蝶ネジで固定したことを特徴とする手動操作のサンドペーパーホルダー。
【考案の詳細な説明】
【技術分野】
【０００１】  本考案は、サンドペーパーを本体ベースに固定して、塗装や錆を剥がしたり木材を研磨したりする手動操作のサンドペーパーホルダーに関するものである。
【背景技術】
【０００２】  従来、各種材料からなる部材の表面の塗装や錆を剥がしたりするための研磨作業には、一般的にサンドペーパーを直接手で保持して被研磨面を磨く。サンドペーパーで広い面を手を使って磨く長時間作業は、手のひらや、指先に負担がかかり、必要な面精度や綺麗な研磨面を仕上げるのが難しい。このようなサンドペーパーの使用上での不便を解消するために、サンドペーパーをホルダーに取り付けて使用するサンドペーパーホルダーがある。
【先行技術文献】
【特許文献】
【０００３】
【特許文献１】実用新案登録第３１９７８９６号  公報
【考案の概要】
【考案が解決しようとする課題】
【０００４】  一般的に使用されているサンドペーパーホルダーは、繰り返し操作するので使用頻度が高くサンドペーパーが摩耗したときに容易に交換できることが必要であるが、広い面を磨く研磨作業では、サンドペーパーに大きな力が加わるので、押さえ板の固定ネジの締め付け力だけでは、サンドペーパーがホルダーから外れたり、緩んだりする問題がある。本考案はサンドペーパーを取付ける本体に斜めの溝を設け、サンドペーパーの先端を斜めの溝に挿入し、サンドペーパーの上部を押さえ板で固定して前述の問題を解決しようとするものである。
【課題を解決するための手段】
【０００５】  サンドペーパーホルダーの本体ベースに斜めの溝を設け、サンドペーパーの先端を挿入した後、サンドペーパーを本体ベースの上面左側に折り曲げたあと、底面に沿って末端を本体ベースの右側上面に重ねて移動する。サンドペーパーの先端及び末端の上側には押さえ板を重ねて、蝶ネジで締め付けて固定する。
【考案の効果】
【０００６】  サンドペーパーの押さえ板を蝶ネジで締め付けることにより、工具を使用せずに押さえ板の取り付け、取外しができるので、サンドペーパーの交換が容易にできるようになる。また、本体ベースの斜めの溝にサンドペーパーの先端を挿入し、本体ベースの上面左側と右側に折り曲げて、押さえ板を蝶ネジで締め付けると、サンドペーパーが押さえ板に押さえ付けられて、サンドペーパーの先端が斜めの溝から外れたりすることがない。これによりサンドペーパーが本体ベースから外れたり、緩んだりすることがない。
【図面の簡単な説明】
【０００７】
【図１】本考案によるサンドペーパーホルダーの正面図である。
【図２】本体ベースにサンドペーパーを取付ける説明図である。
【図３】図１の上面図である。
【図４】図１の底面図である。
【考案を実施するための形態】
【０００８】  本考案による図１のサンドペーパーホルダーを、図２を参照して説明する。図示の如く本体ベース１の上部に斜めの溝２を設け、サンドペーパー３の先端４を斜めの溝２に挿入した後、図示の如くサンドペーパー３を本体ベース１の上面左側に折り曲げて、底面を包み込むように引っ張りながら、末端５を本体ベース１の右側上面に図示の如く移動する。サンドペーパー３を図２の如く本体ベース１に仮付けした後、図１の如く押さえ板６でサンドペーパー３を上から押さえ板固定用蝶ネジ７で本体ベース１に固定する。押さえ板６の上面中央には、操作用のハンドル８が操作用のハンドル取り付けネジ９で固定される。
【符号の説明】
【０００９】１  本体ベース
２  斜めの溝
３  サンドペーパー
４  サンドペーパーの先端
５  サンドパーパーの末端
６  押さえ板
７  押さえ板固定用蝶ネジ
８  操作用のハンドル
９  操作用のハンドル取り付けネジ
【図１】
0003220423.tif 000003
【図２】
0003220423.tif 000004
【図３】
0003220423.tif 000005
【図４】
0003220423.tif 000006
(57)【要約】【課題】  一対の箸の先端部を確実に保持し、嵩張らず、衛生面を維持できるようにする箸カバーである。【解決手段】  箸（Ｈ）の先端部が挿し込まれる弾力性に富んだシリコンゴム製の箸カバー（１）であって、先端が開口し、基端が閉塞された筒体（２）の筒壁（３）に、開口端（４）から基端部（５）にかけて長さ方向に沿ってスリット（６）を切欠くと共に、このスリット（６）に交叉する姿勢でスリット（６）を閉鎖維持するベルト（７）を筒壁（３）の外面に設け、更に筒壁（３）の長さ方向に沿った内面に、挿し込まれた箸（Ｈ）の先端部を挟持する突条（８）を設けたことを特徴とする構成である。【選択図】        図１
0003220476.tif 000002
【実用新案登録請求の範囲】
【請求項１】
箸（Ｈ）の先端部が挿し込まれる弾力性に富んだシリコンゴム製の箸カバー（１）であって、先端が開口し、基端が閉塞された筒体（２）の筒壁（３）に、開口端（４）から基端部（５）にかけて長さ方向に沿ってスリット（６）を切欠くと共に、該スリット（６）に交叉する姿勢でスリット（６）を閉鎖維持するベルト（７）を前記筒壁（３）の外面に設け、更に前記筒壁（３）の長さ方向に沿った内面に、挿し込まれた箸（Ｈ）の先端部を挟持する突条（８）を設けたことを特徴とする箸カバー。
【考案の詳細な説明】
【技術分野】
【０００１】
本考案は、箸の先端部を覆うための箸カバーである。
【背景技術】
【０００２】
弁当は勿論のこと外食時に箸を持参することが広く行われており、その場合、所持し易いように、一対がばらつかないように、そして衛生上の観点から箸箱が用いられる。しかしながら箸の長さや太さは様々であり、いずれのサイズの箸をも収納させようとすると大型となり且つ持ち運び時に箸ががたついて不快な音を発する。
【０００３】
このような不都合を解消するために例えば以下の如き発明の提案がある。
【先行技術文献】
【特許文献】
【０００４】
【特許文献１】特許第４１５３９７９号公報
【特許文献２】特許第４７９２０６４号公報
【考案の概要】
【考案が解決しようとする課題】
【０００５】
特許文献１の発明は、表半部と裏半部とをヒンジ連結すると共に、表半部と裏半部との閉状態をクリックストッパで維持する合成樹脂材料製の一体成型品で、一対の箸の先端部を収納保持できる構成であるが、箸を弾力的に保持するものではないので太さに対応できないと抜け出る虞がある。
また、特許文献２の発明は、蝶番連結された一対の箸キャップ半体を係止部を介して閉状態を維持する構成で、収納された一対の箸の先端部を確実に挟持保持するために弾性抜け止め突起を設けているが、この弾性抜け止め突起は箸キャップ半体とは別体であるので、構成が複雑となり、成形コストがかかるといった不満が残る。
【０００６】
よって本考案は、上述した従来技術の欠点、不都合、不満を解消するべく開発された箸カバーであって、一対の箸の先端部を確実に保持し、嵩張らず、衛生面を維持できるようにすることを目的とする。
【課題を解決するための手段】
【０００７】
上記課題を解決するため本考案の箸カバーは、箸の先端部が挿し込まれる弾力性に富んだシリコンゴム製であって、先端が開口し、基端が閉塞された筒体の筒壁に、開口端から基端部にかけて長さ方向に沿ってスリットを切欠くと共に、このスリットに交叉する姿勢でスリットを閉鎖維持するベルトを前記した筒壁の外面に設け、更に前記した筒壁の長さ方向に沿った内面に、挿し込まれた箸の先端部を挟持する突条を設けたことを特徴とする構成である。
【考案の効果】
【０００８】
本考案の箸カバーは弾力性に富んだシリコンゴム製であるので伸縮性に富み、従ってスリットにより筒体を充分に拡げることができ、箸の先端部を開口端から簡単に挿し込み収納することができる。そして箸を収納した状態で伸縮自在なベルトを掛け止めすることによりスリットを閉鎖維持することができるので、箸を緊締することが可能となる。
【０００９】
また、筒壁の長さ方向に沿った内面には突条を設けているので、挿し込まれた箸の先端部を左右から弾接する形態で挟持することができ、一対の箸を動くことなく保持できる等、本考案は多くの優れた作用効果を奏する。
【図面の簡単な説明】
【００１０】
【図１】（ａ）は一対の箸を収納した状態の本考案の斜視図、（ｂ）は同様のスリット線に沿った断面斜視図である。
【図２】本考案の外観形態を異にした実施例を示す斜視図である。
【図３】スリットを拡げた状態の斜視図である。
【考案を実施するための形態】
【００１１】
本考案の箸カバー1は弾力性に富んだシリコンゴムで一体成型され、先端が開口し、基端が閉塞された筒体２の筒壁３に、開口端４から基端部５にかけて長さ方向に沿ってスリット６を切欠くと共に、このスリット６に交叉する姿勢でスリット６を閉鎖維持するベルト７を筒壁３の外面に設け、更に筒壁３の長さ方向に沿った内面に、挿し込まれた箸Ｈの先端部を挟持する突条８を設けた構成である。
【実施例】
【００１２】
図１の実施例での筒体２は扁平楕円筒形状で、この楕円の長径の一方縁に於ける筒壁３の長さ方向に沿ってスリット６を切欠く。そして開口端４近傍の筒壁３のスリット６部分に、長孔９を開設したベルト７をスリット６に交叉する姿勢で連設すると共に、この交叉したベルト７の長孔９に対応する筒壁３の外面に部分に、長孔９が嵌入係止する先端が球形となったピン１０を突設する。
【００１３】
従って、スリット６を拡げた状態で開口端４から基端部５にかけて箸Ｈの先端部を挿し込んでベルト７の長孔９にピン１０を嵌入係止すれば、ベルト７を含む筒体２が弾力性に富んでいるので、箸Ｈの先端部をしっかりと挟持することができるのである。
【００１４】
また、筒壁３の長さ方向に沿った内面には突条８が一体設されているのでこの突条８が箸Ｈに弾接し、上記した挟持は更に確実性を増し、箸Ｈが開口端４から抜け出てしまうことはなく、内部でがたつくこともない。突条８の位置、本数は限定されるものではなく、挟持が達成される限りいかなる形態であっても良い。
【００１５】
図２は筒体２の形状の実施例を示すもので、（ａ）は魚型で二本のベルト７が設けられており、（ｂ）は枝豆型、（ｃ）は菊花型を示すものである。
【００１６】
更に図３は筒体２のスリット６が開いた状態における基端部５側から見た斜視図である。
【符号の説明】
【００１７】
１  箸カバー
２  筒体
３  筒壁
４  開口端
５  基端部
６  スリット
７  ベルト
８  突条
９  長孔
１０  ピン
Ｈ  箸
【図１】
0003220476.tif 000003
【図２】
0003220476.tif 000004
【図３】
0003220476.tif 000005
(57)【要約】      （修正有）【課題】チャンバーボックスを構成する空調ダクト用吸・排気ボックスの内面の光反射を長期に亘り解消する黒色着色構造を提供する。【解決手段】空調ダクト用吸・排気ボックス３、４を構成する鋼板８の内面に黒色を含む非反射性塗料の焼付け塗装面またはメッキ面８ａを形成する。【選択図】図１
0003220225.tif 000002
【実用新案登録請求の範囲】
【請求項１】
空調用として四角立方体のボックスとその一面または二面にダクト接続口、他の一面または二面に吸・排気口を突出させてなる吸・排気ボックスを鋼板の折り曲げを含む加工にて形成するに当たって、吸・排気ボックスの内面全部または一部を該鋼板に設ける黒色を含む非反射性塗料の焼付け塗装面またはメッキ面を当てて形成してボックス内面の光反射を長期に亘り解消するようにしたことを特徴とする空調ダクト用吸・排気ボックスの内面の黒色着色構造。
【考案の詳細な説明】
【技術分野】
【０００１】
この考案は空調ダクト用吸・排気ボックスの内面の黒色着色構造に関するものである。
【背景技術】
【０００２】
空調用ダクトの吸・排気ボックスは亜鉛メッキ鋼板にて形成して、実開平６−４０７２１号公報の図１に示されているように天井裏などの配管ダクトの吸・排気口として取り付けられてきたが、亜鉛メッキの光反射性質によって室内などからボックス内が丸見えとなるため、従来は吸・排気ボックスの内面をラッカースプレーなどにより黒色に吹付け塗装して光反射を押さえて室内などから見えないようにしている。
【先行技術文献】
【特許文献】
【０００３】
【特許文献１】実開平６−４０７２１号公報
【考案の概要】
【考案が解決しようとする課題】
【０００４】
しかしながら、ラッカースプレーなどによる吹付け塗装は剥離が早いという課題があり、しかも手作業のため多大な労力と時間を要してなお塗装むらが生ずるという課題がある。
【課題を解決するための手段】
【０００５】
本考案は鋼板製の吸・排気ボックスの内面に該鋼板に設ける黒色を含む非反射性塗料の焼付け塗装面またはメッキ面を当てて形成して吸・排気ボックスの内面の光反射を長期に亘り防止して上記した各課題を解決するようにしたのである。
【考案の効果】
【０００６】
本考案はダクト用の吸・排気ボックスの内面に鋼板の黒色を含む非反射性塗料の焼付け塗装面またはメッキ面を当てて形成したので、ボックスの内面の着色は鋼板と一体となってラッカースプレーによる吹付け塗装にくらべて耐久性が格段に向上するという効果を生ずる。手作業による塗装むらが解消するという効果を生ずる。
【０００７】
スプレーによる吹付け塗装の作業がなくなるので、ボックス形成のための労力と作業時間を短縮し能率的にするという効果と作業環境を良好にするという効果を生ずる。
【図面の簡単な説明】
【０００８】
【図１】第１実施例の形状例を示す斜視図
【図２】同、吸気ボックスを配管した状態を示す側断面図
【図３】第２実施例の１例を示す斜視図
【考案を実施するための形態】
【０００９】
本考案は空調用ダクトに接続する鋼板製の吸・排気ボックスの内面に鋼板に設ける黒色を含む非反射性塗料の焼付け塗装面またはメッキ面を当てて形成して、吸・排気ボックスの内面の光反射を長期に亘り防止するようにして構成する。
【実施例１】
【００１０】
図１乃至図２は本考案の第１実施例であって、四角立方体形のボックス１とその一面または二面にダクト５との接続口１ａ、他の一面又は二面に吸・排気口２を突出させてなる吸気ボックス３と排気ボックス４のそれぞれを鋼板８の折り曲げを含む加工にて形成するに当たって、これらのボックス３，４の内面全体に該鋼板に設ける黒色の焼付け塗装面８ａまたは黒色のメッキ面８ａを当てて形成して、ダクト５の所定位置に接続させる。
【００１１】
このようにして形成した吸・排気ボックス３，４を天井裏などに取付けすると、ボックス３，４内は黒色の焼付け塗装面、メッキ面８ａが鋼板８と一体化することで、長期に亘り光反射を押さえてボックス３，４内の丸見えを防止し、従来生じていた吹付け塗装による塗料の早い剥がれ落ち飛散を解消して、室内などの環境を良好にすることになる。なお黒色の色付けは光反射の生じにくい艶消し色とすることが望ましい。
【００１２】
鋼板８によっては一面ではなく両面を黒色の焼付け塗装面，メッキ面８ａとする場合がある。この場合はどちらの面をボックス３，４の内面に当ててもよいことになる。
【００１３】
図３は本考案の第２実施例で、ボックス３，４の内面のみに黒色の焼付け塗装面または黒色のメッキ面を当てて形成したものである。その他の構成と作用は第１実施例と同じである。
【００１４】
なお実施例の黒色の焼付け塗装面は塗装と乾燥，焼付けの工程を３度反複して３層にして耐久性をさらに増長するようにした。また黒色のメッキ面も複合層にして耐久性をさらに増長するようにした。
これによって温度・湿度の変化に対して強い耐候性と硬度および剥離強度を格段に向上するものとなった。
【産業上の利用可能性】
【００１５】
本考案は空調用ダクトに接続して天井裏などに設備する鋼板製の吸・排気ボックスの内面を鋼板に設ける黒色を含む非反射性塗料の焼付け塗装面または黒色メッキ面を当てて形成して、光反射による内部の丸見えを長期に亘り解消することで広く利用されるものである。
【符号の説明】
【００１６】
１はボックス
１ａはダクトの接続口
２は吸・排気口
３は吸気ボックス
４は排気ボックス
５はダクト
６は吹出し・吸込口器具
７は天井
８は鋼板
８ａは黒色の焼付け塗装面またはメッキ面
【図１】
0003220225.tif 000003
【図２】
0003220225.tif 000004
【図３】
0003220225.tif 000005
(57)【要約】      （修正有）【課題】一組のカードにトランプ機能とかるた機能を持たせ、一体化することにより一組のカードでトランプとかるたの二つのゲームを実施可能にしたトランプかるたを提供する。【解決手段】カード全５４枚のうち５２枚にトランプマーク２と数字３を付し、ジョーカー２枚と合わせトランプカードとし、その内かるた用として４６枚に絵柄５とひらがな「あいうえお」文字５０音の重複しない清音４６文字４を各々のカードに一文字ずつ配することにより、一組のカードにトランプとかるたの二つの機能を持たせ、且つ読み札の機能を一枚の別シートに読み言葉を一覧に配し、一体化して構成する。 【選択図】図１
0003220268.tif 000002
【実用新案登録請求の範囲】
【請求項１】
トランプ機能としてトランプマークと数字を配した５２枚とジョーカー２枚を組み合わせた一組全５４枚のカードを形成し、その内４６枚にかるた機能として絵柄等を配し、その一端にひらがな「あいうえお・・・」一文字を付すことにより取り札とし、読み札は別のシート１枚に配置することにより、一セット一組のカード構成でトランプとかるたの二つの遊びが兼用できることを特徴とした専用カード“トランプかるた”。
【考案の詳細な説明】
【技術分野】
【０００１】
本考案は、一組のカード構成によりトランプとかるたの二つの遊びができる玩具に関するものである。
【背景技術】
【０００２】
従来、トランプとかるたの両方のゲームを実施しようとした場合、１トランプカード２かるたの読み札３かるたの取り札の三組のカード、もしくは１トランプカードにかるたの読み札を配したカード２かるたの取り札 の二組のカードが必要であった。
例えば、（１）、トランプカード５３枚のうちエース４枚とジョーカーを除く４８枚に夫々いろは４８文字の語句をカードの一端に付記し、これを読み札用とする。（２）、いろはかるたの取り札用として別の４８枚に夫々絵等をつけたカードをつくる。（３）、（１）と（２）のカードを組み合わせると、いろはかるたとトランプ遊びが兼用できる。以上のごとく構成されたいろはかるた付きトランプが知られている。
【先行技術文献】
【特許文献】
【０００３】
【特許文献１】実全平０１−１１０７７５号公報
【考案の概要】
【考案が解決しようとする課題】
【０００４】
トランプとかるたの両方の玩具を揃えるのは、経済的負担となり、また保管管理も二重になる。従って、トランプ機能とかるた機能を一体化することにより一組のカードによりトランプとかるたのゲームが実施可能になり、前述の欠点を解消しようとするものである。
【課題を解決するための手段】
【０００５】
本考案は、全カード５４枚に対し５２枚にトランプマークと数字を付し、２枚のジョーカーと合わせてトランプ用カードとし、その内かるた用として４６枚には絵柄とひらがなを使った「あいうえお・・・」文字５０音の重複しない清音４６文字を各々のカードに一文字ずつ配することにより、一組のカードでトランプとかるたの二つの機能を持つことになり問題点を解消している。特に読み札の機能を一枚の別シートに読み言葉を一覧に纏めて記載することが問題点解決の主要因となっている。
【考案の効果】
【０００６】
上述のように、一組のカードに二つの機能を持たせることにより、兼用して利用できることとなり、且つ一枚のシートに読み札を纏めたことでカードの一組化が可能となり全体構成がコンパクトな遊戯玩具となっている。更にカードの絵柄は、写真やイラスト・商品等を自由に掲載することが可能で応用範囲が拡大する。
【図面の簡単な説明】
【０００７】
【図１】本考案の一組のカードによるトランプかるたの実施例を示す正面図である。
【図２】本カードに併用する読み札の一覧シート図である。
【考案を実施するための形態】
【０００８】
一組のカードによりトランプとかるたが実施できるが、トランプ実施時は、ジョーカーを含むトランプカード５４枚全てを使い、かるた実施時は、「あいうえお」文字の入っていないカード６枚及びジョーカー２枚計８枚のカードを除き、残る４６枚を使用することで可能となる。また、読み札は、別シート１枚に纏めているのでこれを読み上げることで読み札の目的が達せられる。
【実施例】
【０００９】
以下、添付図面に従って実施例を説明する。１はトランプ紙に各種マーク、絵柄、文字等を配したカード本体、２はトランプのハート、ダイヤ、クラブ、スペードの４種のマーク、３はトランプの数字Ａ（エース）・１・２・３・４・５・６・７・８・９・１０・Ｊ（ジャック）・Ｑ（クイーン）・Ｋ（キング）が４種のマーク毎に入る。４はかるた用として「あいうえお」のひらがな文字が各々のカードにランダムに入る。５は絵柄等である。
【００１０】
６はかるたの読み札一覧シート。７は上記段落０００９の「あいうえお」文字に符号する文字がランダムに入る。８は読み札の読み言葉である。
【符号の説明】
【００１１】
１  トランプかるたカード本体
２  トランプマーク
３  トランプ数字
４  かるたのひらがな文字
５  絵柄等
６  読み札一覧シート
７  読み札のひらがな文字
８  読み言葉
【図１】
0003220268.tif 000003
【図２】
0003220268.tif 000004
(57)【要約】      （修正有）【課題】高い広告効果を発揮できる脇広告シールを提供する。【解決手段】脇広告シール１は、矩形のシート形状をしている。脇広告シールの正面には広告が描かれている。脇広告シールは、シート本体と、接着層と、剥離紙との３層構造をしている。シート本体は、多方向伸縮性があり、且つ通気性の高い素材で形成されている。【選択図】図４
0003220240.tif 000002
【実用新案登録請求の範囲】
【請求項１】
脇の下に貼られる脇広告媒体であって、
表面に所定の広告が描かれた伸縮性のシート本体と、
前記シート本体の裏面に形成された接着層と、
前記接着層に接着された剥離紙と
を有する脇広告シール。
【請求項２】
前記シート本体は、通気性素材を用いて形成されている
請求項１に記載の脇広告シール。
【考案の詳細な説明】
【技術分野】
【０００１】
本考案は、人間の脇の下に貼り、広告効果を発揮する脇広告シールに関する。
【背景技術】
【０００２】
従来から、ウェブ広告、雑誌・新聞広告、看板広告等の様々が広告媒体がある。
【考案の開示】
【考案が解決しようとする課題】
【０００３】
近年、よりインパクトの高い広告が求められている。
【０００４】
本考案は上述した背景からなされたものであり、高い広告効果を発揮できる脇広告シールを提供することを目的とする。
【課題を解決するための手段】
【０００５】
上述した従来技術の問題点を解決し、上述した目的を達成するため、本考案の脇広告シールは、脇の下に貼られる脇広告媒体であって、表面に所定の広告が描かれた伸縮性のシート本体と、前記シート本体の裏面に形成された接着層と、前記接着層に接着された剥離紙とを有する。
【０００６】
好適には、前記シート本体は、通気性素材を用いて形成されている。
【考案の効果】
【０００７】
本考案によれば、高い広告効果を発揮できる脇広告シールを提供することができる。
【図面の簡単な説明】
【０００８】
【図１】図１は、本考案の実施形態に係わる脇広告シールの正面図である。
【図２】図２は、図１に示す脇広告シール１の平面図である。
【図３】図３は、図１及び図２に示す脇広告シールの部分断面構成図である。
【図４】図４は、本考案の実施形態に係わる脇広告シールを脇の下に貼り付けた場合を説明するための図である。
【図５】図５は、本考案の実施形態に係わる脇広告シールを使った広告業態を説明するためのフローチャートである。
【考案を実施するための最良の形態】
【０００９】
以下、本考案の実施形態に係る脇広告シールを、図面を参照しながら説明する。
図１は、本考案の実施形態に係わる脇広告シール１の正面図である。図２は、図１に示す脇広告シール１の平面図である。
【００１０】
図１及び図２に示すように、脇広告シール１は、矩形のシート形状をしている。脇広告シール１の正面には広告２１が描かれている。広告２１は、文字、図形、写真等の様々な形態がある。
【００１１】
図３は、図１及び図２に示す脇広告シール１の部分断面構成図である。
図３に示すように、脇広告シール１は、例えば、シート本体１１と、接着層１３と、剥離紙１５との３層構造をしている。
【００１２】
シート本体１１は、脇広告シール１の表面側に位置し、その表面に図２に示す広告２１が描かれている。
シート本体１１は、多方向伸縮性があり、且つ通気性の高い素材で形成されている。
【００１３】
接着層１３は、シート本体１１と剥離紙１５とに挟まれて位置し、脇の下に安定して接着され、所定の力を加えることで剥がせる接着力を備えた接着剤で形成されている。
【００１４】
剥離紙１５は、使用前に接着層１３に貼り付けられており、使用時に指等で剥がされる。
【００１５】
脇広告シール１は、例えば、密封性のある袋に収容して販売される。使用者は、袋から脇広告シール１を出し、剥離紙１５を剥がす。そして、図４に示すように、接着層１３を脇の下に当てて接着させる。
図３は、脇広告シール１を脇の下に貼ったイメージを示す図である。
【００１６】
以下、脇広告シール１を使った広告業態について説明する。
図５は、本考案の実施形態に係わる脇広告シール１を使った広告業態を説明するためのフローチャートである。
以下、各ステップについて説明する。
【００１７】
ステップＳＴ１：
広告業者は、脇広告シール１に広告２１を掲載することを希望する企業などを募集する。
【００１８】
ステップＳＴ２：
広告業者は、脇の下に脇広告シール１を貼って広告塔になる脇提供者を募集する。
【００１９】
ステップＳＴ３：
広告業者は、ステップＳＴ１で募集して契約をした企業の広告２１を印刷した脇広告シール１を製造する。
【００２０】
ステップＳＴ４：
広告業者は、ステップＳＴ２で募集して契約した脇提供者に脇広告シール１を配給する。
【００２１】
ステップＳＴ５：
脇提供者は、ステップＳＴ４で配給された脇広告シール１を脇の下に貼ってイベント会場や市街等で脇を見せる。
【００２２】
以上説明したように、脇広告シール１によれば、脇の下を広告スペースとして使用できる。これにより、従来にないインパクトの強い広告ができ、高い広告効果を発揮できる。
【００２３】
本考案は上述した実施形態には限定されない。
すなわち、当業者は、本考案の技術的範囲またはその均等の範囲内において、上述した実施形態の構成要素に関し、様々な変更、コンビネーション、サブコンビネーション、並びに代替を行ってもよい。
例えば、上述した脇広告シールの形状は矩形以外に、円形等のその他の形状でもよい。
【産業上の利用可能性】
【００２４】
本考案は、例えば、広告媒体に適用可能である。
【符号の説明】
【００２５】
１…脇広告シール
１１…シート本体
１３…接着層
１５…剥離紙
２１…広告
【図１】
0003220240.tif 000003
【図２】
0003220240.tif 000004
【図３】
0003220240.tif 000005
【図４】
0003220240.tif 000006
【図５】
0003220240.tif 000007